(57)【要約】      （修正有）【課題】発光及び発熱可能なほかに、充電、耐張、引留、水洗い及び曲折可能な機能を備えた無線充電可能な耐張式発熱構造を提供する。【解決手段】人が着用する製品に適用される耐張式発光又は発熱構造である。該無線受電可能な耐張式発光は、編組物と、導電撚り線と、発光素子と、受信回路とを含む。編組物が製品に結合され、導電撚り線は互いにより合わせられた耐張線と素線とを有し、導電撚り線が編組物内に編成されている。編組物内に設けられた発光素子が、発光部と導電ピンとを有し、発光部からの光が編組物の外に出射され、導電ピンが導電撚り線の素線にそれぞれ電気的に接している。該無線受電可能な耐張式発熱構造は、キャリアと、該キャリアに設けられた電熱素子と、該電熱素子に電気的に接続された導電撚り線と、該導電撚り線に電気的に接続された受信回路とを含み、キャリアが製品と一体に編組されている。【選択図】図２Ａ
0003168913.tif 000002
【実用新案登録請求の範囲】
【請求項１】
供給された電気を交流信号に変換する発射回路と、前記発射回路に接続され前記発射回路に電気を供給する電源ユニットとを備える充電装置が位置決めされた製品に適用される無線充電可能な耐張式発光構造であって、
前記製品と一体に結合された編組物と、
互いにより合わせられた少なくとも１本の耐張線と少なくとも１本の素線とを有し、前記編組物内に編成された少なくとも２本の導電撚り線と、
前記編組物内に設けられ、発光部と少なくとも２本の導電ピンとを有し、前記発光部からの光が前記編組物の外に出射され、前記２本の導電ピンが前記２本の導電撚り線の素線にそれぞれ固定して電気的に接する少なくとも１つの発光素子と、
前記２本の導電撚り線の素線に電気的に接続され、二次電池を有する受信回路であって、前記発射回路が前記受信回路に交流信号を無線で伝送し、前記交流信号が前記受信回路により電気に変換され、前記二次電池により前記電気を蓄えて前記発光素子に供給する受信回路と、を含む無線充電可能な耐張式発光構造。
【請求項２】
前記導電撚り線の素線が耐張材質の素線であることを特徴とする請求項１に記載の無線充電可能な耐張式発光構造。
【請求項３】
前記発光素子の個々の導電ピンは位置決め部を有し、各前記導電ピンの位置決め部は挿通孔であり、各前記導電撚り線が各前記導電ピンの挿通孔内に固定して挿通されていることを特徴とする請求項１に記載の無線充電可能な耐張式発光構造。
【請求項４】
各前記導電撚り線に絶縁層が被覆され、前記発光素子の個々の前記導電ピンが突っ込み端を有し、各前記導電ピンの突っ込み端が導電撚り線の絶縁層を突っ込んで絶縁層内の素線に固定して電気的に接することを特徴とする請求項１に記載の無線充電可能な耐張式発光構造。
【請求項５】
制御回路とスイッチとをさらに有し、前記制御回路とスイッチと二次電池とがいずれも前記２本の導電撚り線の素線に電気的に接続され、前記制御回路は、前記発光素子の発光方式を制御することを特徴とする請求項１に記載の無線充電可能な耐張式発光構造。
【請求項６】
前記少なくとも２本の導電撚り線は、少なくとも１本の制御用の導電撚り線をさらに含み、前記制御用の導電撚り線がその素線により前記制御回路に電気的に接続されていることを特徴とする請求項５に記載の無線充電可能な耐張式発光構造。
【請求項７】
外部接続部材と、コネクタと、スイッチとをさらに含み、前記コネクタとスイッチとがいずれも前記２本の導電撚り線の素線に電気的に接続され、前記外部接続部材には受信回路と発光素子の発光方式を制御する制御回路とが設けられ、前記外部接続部材は、前記制御回路に電気的に接続され且つ前記コネクタに対応する対応コネクタをさらに有し、前記外部接続部材は、前記対応コネクタにより前記コネクタに突き合せて電気的に導通されていることを特徴とする請求項１に記載の無線充電可能な耐張式発光構造。
【請求項８】
前記少なくとも２本の導電撚り線は、少なくとも１本の制御用の導電撚り線をさらに含み、前記制御用の導電撚り線がその素線により前記制御回路に電気的に接続されていることを特徴とする請求項７に記載の無線充電可能な耐張式発光構造。
【請求項９】
前記発射回路は、前記電源ユニットに接続する振動分周回路と、前記振動分周回路に接続する駆動増幅回路と、前記駆動増幅回路に接続する一次発射共振回路と、前記一次発射共振回路に接続する発射コイルとを含み、前記振動分周回路により前記電源ユニットからの電気を交流信号に変換し、前記振動分周回路により変換された該交流信号が前記駆動増幅回路により増幅された後に、前記駆動増幅回路により増幅された交流信号が前記一次発射共振回路により同調され、さらに、前記一次発射共振回路により同調された交流信号を前記発射コイルで前記受信回路に発送することを特徴とする請求項１に記載の無線充電可能な耐張式発光構造。
【請求項１０】
前記受信回路は、受信誘導コイルと、前記受信誘導コイルに接続する二次受信共振回路と、前記二次受信共振回路に接続するAＣ/DＣ整流平滑定電圧回路と、前記AＣ/DＣ整流平滑定電圧回路に接続する二次電池とを含み、前記受信誘導コイルにより前記発射回路からの交流信号を受信して、前記受信誘導コイルにより受信した該交流信号が前記二次受信共振回路により同調され、前記二次受信共振回路により同調された該交流信号が前記AＣ/DＣ整流平滑定電圧回路により整流、定圧されるとともに、該交流信号を電気に変換し、前記AＣ/DＣ整流平滑定電圧回路により変換された電気を前記二次電池により蓄えることを特徴とする請求項１に記載の無線充電可能な耐張式発光構造。
【請求項１１】
供給された電気を交流信号に変換する発射回路と、前記発射回路に接続され、前記発射回路に電気を供給する電源ユニットとを備える充電装置が位置決めされた製品に適用される無線充電可能な耐張式発熱構造であって、
前記製品と一体に編成されたキャリアと、
前記キャリアに設けられた少なくとも１つの電熱素子と、
互いにより合わせられた少なくとも１本の耐張線と少なくとも１本の素線とを有し、素線の一端が前記電熱素子に電気的に接続された少なくとも２本の導電撚り線と、
前記各導電撚り線の素線の他端に電気的に接続され、二次電池を有する受信回路であって、前記発射回路が前記受信回路に交流信号を無線で伝送し、前記交流信号が前記受信回路により電気に変換され、前記二次電池により前記電気を蓄えて前記電熱素子に供給する受信回路と、を含む無線充電可能な耐張式発熱構造。
【請求項１２】
前記導電撚り線の素線が耐張材質の素線であることを特徴とする請求項１１に記載の無線充電可能な耐張式発熱構造。
【請求項１３】
前記キャリアは均温板を有し、前記電熱素子が前記均温板に接触されていることを特徴とする請求項１１に記載の無線充電可能な耐張式発熱構造。
【請求項１４】
スイッチ及び制御回路をさらに有し、前記スイッチと二次電池と制御回路とが前記電熱素子に導電撚り線により電気的に直列接続されていることを特徴とする請求項１１に記載の無線充電可能な耐張式発熱構造。
【請求項１５】
外部接続部材と、コネクタと、スイッチとをさらに含み、前記コネクタとスイッチとがいずれも前記電熱素子に導電撚り線により電気的に直列接続され、前記外部接続部材は、前記受信回路と前記コネクタに対応する対応コネクタとを有し、前記対応コネクタが前記二次電池に電気的に導通され、前記外部接続部材は、前記対応コネクタにより前記コネクタに突き合せて電気的に導通されていることを特徴とする請求項１１に記載の無線充電可能な耐張式発熱構造。
【請求項１６】
前記外部接続部材は、制御回路をさらに有し、前記外部接続部材の対応コネクタと二次電池とが、前記制御回路に電気的に導通されていることを特徴とする請求項１５に記載の無線充電可能な耐張式発熱構造。
【請求項１７】
前記発射回路は、前記電源ユニットに接続する振動分周回路と、前記振動分周回路に接続する駆動増幅回路と、前記駆動増幅回路に接続する一次発射共振回路と、前記一次発射共振回路に接続する発射コイルとを含み、前記振動分周回路により前記電源ユニットからの電気を交流信号に変換し、前記振動分周回路により変換された該交流信号が前記駆動増幅回路により増幅された後に、前記駆動増幅回路により増幅された交流信号が前記一次発射共振回路により同調され、さらに、前記一次発射共振回路により同調された交流信号を前記発射コイルで前記受信回路に発送することを特徴とする請求項１１に記載の無線充電可能な耐張式発熱構造。
【請求項１８】
前記受信回路は、受信誘導コイルと、前記受信誘導コイルに接続する二次受信共振回路と、前記二次受信共振回路に接続するAＣ/DＣ整流平滑定電圧回路と、前記AＣ/DＣ整流平滑定電圧回路に接続する二次電池とを含み、前記受信誘導コイルにより前記発射回路からの交流信号を受信して、前記受信誘導コイルにより受信した該交流信号が前記二次受信共振回路により同調され、前記二次受信共振回路により同調された該交流信号が前記AＣ/DＣ整流平滑定電圧回路により整流、定圧されるとともに、該交流信号を電気に変換し、前記AＣ/DＣ整流平滑定電圧回路により変換された電気を前記二次電池により蓄えることを特徴とする請求項１１に記載の無線充電可能な耐張式発熱構造。
【考案の詳細な説明】
【技術分野】
【０００１】
本考案は、耐張式発光又は発熱構造に関し、特に、無線充電可能で人が着用する製品に適用され、耐張、引留、水洗い及び曲折可能な機能を有するとともに、発光又は発熱可能となる耐張式発光又は発熱構造に関する。
【背景技術】
【０００２】
人が着用する製品（例えば、衣服や、ジャケット、シャツ、ベスト、肌着、ズボン、スカート、帽子、手袋、水着、水帽、潜水服、靴下、耳カバー、鞄及びリュックサック等）に発光部材や発熱部材を設けて発光或いは暖め維持しようとする場合があるが、従来では、夜間に雰囲気や趣味又は美観の効果を増やすために、ジャケット及び帽子に発光素子を設けて発光させるのがしか見られない。
【０００３】
しかしながら、人が着用する製品を洗濯しなければならないため、その際に製品が引っ張られたり、曲折される。単に発光部材を設けただけの従来製品では、既に色んな要求に対応しきれず、水洗いや常に引っ張り、曲折などによって電気線路の折れがしばしば生じる。
【０００４】
さらに、該発光素子を使用するときに必要な電源の大半は、ニッケル水素電池やリチウム電池などの二次電池を用いている。二次電池は、主に充電装置により充電を行っているが、充電装置からのびるケーブルの長さに制約がある。そのため、充電を有線接続によって二次電池に伝達する必要があるが、その使用範囲が限られ、使用の利便性が低下する。
【０００５】
本考案は以上の点に鑑み、耐張、引留、水洗い及び曲折可能な機能を有するとともに、発光又は発熱可能となる耐張式発光又は発熱構造を提供することが課題である。
【考案の開示】
【考案が解決しようとする課題】
【０００６】
本考案は、導電撚り線の特殊構造設計により、耐張、引留、水洗い及び曲折可能な機能を有するとともに、無線充電も可能で二次電池により発光素子に電気を供給して発光させる無線充電可能な耐張式発光構造を提供することを目的とする。
【０００７】
本考案は、導電撚り線の特殊構造設計により、耐張、引留、水洗い及び曲折可能な機能を有するとともに、無線充電も可能で二次電池により発熱素子に電気を供給して発熱させる無線充電可能な耐張式発熱構造を提供することを次の目的とする。
【課題を解決するための手段】
【０００８】
前記目的を達成するため、本考案による無線充電可能な耐張式発光構造は、供給された電気を交流信号に変換する発射回路と、前記発射回路に接続され前記発射回路に電気を供給する電源ユニットとを備える充電装置が位置決めされた製品に適用される無線充電可能な耐張式発光構造であって、前記製品と一体に結合された編組物と、互いにより合わせられた少なくとも１本の耐張線と少なくとも１本の素線とを有し、前記編組物内に編成された少なくとも２本の導電撚り線と、前記編組物内に設けられ、発光部と少なくとも２本の導電ピンとを有し、前記発光部からの光が前記編組物の外に出射され、前記２本の導電ピンが前記２本の導電撚り線の素線にそれぞれ固定して電気的に接する少なくとも１つの発光素子と、前記製品と一体に結合され、前記２本の導電撚り線の素線に電気的に接続され、二次電池を有する受信回路であって、前記発射回路が前記受信回路に交流信号を無線で伝送し、前記交流信号が前記受信回路により電気に変換され、前記二次電池により前記電気を蓄えて前記発光素子に供給する受信回路と、を含む。
【０００９】
よって、無線で充電して二次電池の電気で発光できる外、耐張、引留、水洗い及び曲折可能などの機能を備える。
【００１０】
前記目的を達成するため、本考案による無線充電可能な耐張式発熱構造は、供給された電気を交流信号に変換する発射回路と、前記発射回路に接続され、前記発射回路に電気を供給する電源ユニットとを備える充電装置が位置決めされた製品に適用される無線充電可能な耐張式発熱構造であって、前記製品と一体に編成されたキャリアと、前記キャリアに設けられた少なくとも１つの電熱素子と、互いにより合わせられた少なくとも１本の耐張線と少なくとも１本の素線とを有し、前記素線の一端が前記電熱素子に電気的に接続された少なくとも２本の導電撚り線と、前記各導電撚り線の素線の他端に電気的に接続され、二次電池を有する受信回路であって、前記発射回路が前記受信回路に交流信号を無線で伝送し、前記交流信号が前記受信回路により電気に変換され、前記二次電池により前記電気を蓄えて前記電熱素子に供給する受信回路と、を含む。
【００１１】
よって、無線で充電して二次電池の電気で発熱して暖め維持可能となる外、耐張、引留、水洗い及び曲折可能などの機能を備える。
【００１２】
本考案の特徴、特点及び技術内容をさらに深く了解を得るため、以下の本考案に係る詳細説明及び添付図面を参照すれば得られるが、前記添付図面は参考や説明のみ提供され、本考案を局限するものではない。
【図面の簡単な説明】
【００１３】
【図１Ａ】図１Ａは、製品に適用する本考案を示す正面図である。
【図１Ｂ】図１Ｂは、製品に適用する本考案を示す背面図である。
【図２Ａ】図２Ａは、本考案の回路ブロック図である。
【図２Ｂ】図２Ｂは、本考案の回路ブロック図である。
【図３】図３は、本考案における導電撚り線の斜視図である。
【図３Ａ】図３Ａは、図３のＡ−Ａ線の断面図である。
【図４】図４は、本考案に係る無線充電可能な耐張式発光構造を示す斜視図である。
【図４Ａ】図４Ａは、図４のＢ−Ｂ線の断面図であり、さらに、導電撚り線に電気的に接続された制御回路、二次電池及びスイッチを示す。
【図４Ｂ】図４Ｂは、図４Ａの増設位置決め溝の実施例を示す図である。
【図５】図５は、本考案に係る無線充電可能な耐張式発光構造において、発光素子を２本の導電撚り線間に設けられた実施例を示す図である。
【図５Ａ】図５Ａは、図５の増設位置決め溝の実施例を示す図である。
【図６】図６は、本考案に係る無線充電可能な耐張式発光構造において、他の発光素子を使用する実施例を示す図である。
【図７】図７は、本考案に係る無線充電可能な耐張式発光構造において、他の発光素子を使用して且つ突っ込み端を増加する実施例を示す図である。
【図８】図８は、本考案に係る無線充電可能な耐張式発光構造において、二次電池と制御回路とをコネクタにより接続する様子を示す図である。
【図９】図９は、本考案に係る無線充電可能な耐張式発熱構造において、二次電池と制御回路とをコネクタにより接続する様子を示す図である（製品に接続された）。
【考案を実施するための最良の形態】
【００１４】
図１Ａ〜図４Ｂに示すように、本考案による耐張式発光又は発熱構造は、人が着用する製品（例えば、衣服や、ジャケット、シャツ、ベスト、肌着、ズボン、スカート、帽子、手袋、水着、水帽、潜水服、靴下、耳カバー、鞄及びリュックサック等）に適用される。
前記製品に充電装置９が位置決めされる（例えば、挟持、結束、接着又は互いに吸着など）。
充電装置９は、発射回路９１と、発射回路９１に接続された電源ユニット９２とを有し、電源ユニット９２が発射回路９１に電気を供給し、且つ、発射回路９１により前記電気を交流信号に変換される。
【００１５】
図１Ａ、図１Ｂ、図２Ａ、図２Ｂ及び図４〜図４Ｂに示すように、製品（衣服が図示され）１には複数の無線充電可能な耐張式発光構造又は複数の無線充電可能な耐張式発熱構造が設けられている。
これらの無線充電可能な耐張式発光構造が製品１の両肩及び背広にそれぞれ設けられる。
各無線充電可能な耐張式発光構造は、編組物５と、少なくとも２本の導電撚り線３と、少なくとも１つの発光素子２と、受信回路８とを含む。
ここで、２本の導電撚り線３と複数の発光素子２とが図示されている。
発光素子２は、発光ダイオード（LED）又は有機発光ダイオード（Organic Light-Emitting Diode;以下にOLEDと略称し）である。
【００１６】
図３は、導電撚り線３を示す。図３、図３Ａに示すように、各導電撚り線３は、互いにより合わせられた少なくとも１本の耐張線３１と少なくとも１本の素線３２とを有する。
ここで、複数の耐張線３１と複数の素線３２とを有する導電撚り線３が図示されている。
また、各素線３２が耐張材質の素線であることが好ましい。よって、各素線３２も、耐張、引留、及び曲折可能などの効果を備える。
【００１７】
図４Ａは、発光素子２を示す。図４Ａに示すように、各発光素子２は、発光部２１と少なくとも２本の導電ピン２２とを有し、２本の導電ピン２２が２本の導電撚り線３の素線３２にそれぞれ固定して電気的に接触され、導電ピン２２と導電撚り線３とは、溶接や、プレス及びディスペンシングなどの方法により固定される。
【００１８】
図２Ａ、図２Ｂは、本考案の回路ブロック図である。図に示すように、無線充電可能な耐張式発光構造となる発光素子２と、無線充電可能な耐張式発熱構造となる発熱素子４０と、制御回路６と、スイッチ６１とが、いずれも受信回路８に電気的に接続されている。
スイッチ６１は、受信回路８の二次電池８４の電気供給の有無を制御し、制御回路６は、電源制御回路及び信号制御回路などを含む。
電源制御回路は、発光素子２又は発熱素子４０の開閉（オン／オフ）を制御し、信号制御回路は、発光素子２の発光方式又は発熱素子４０の発熱方式（例えば、温度及びタイミングなど）を制御する。
【００１９】
受信回路８が２本の導電撚り線３の素線３２に電気的に接続される。受信回路８は、受信誘導コイル８１と、受信誘導コイル８１に接続する二次受信共振回路８２と、二次受信共振回路８２に接続するAＣ/DＣ整流平滑定電圧回路８３と、AＣ/DＣ整流平滑定電圧回路８３に接続する二次電池８４とを含む。
二次電池８４は、内蔵式二次電池又は外接型二次電池の何れかであれば良く、受信誘導コイル８１により発射回路９１からの交流信号を受信して、該交流信号が二次受信共振回路８２を介して同調されるとともに、該交流信号がAＣ/DＣ整流平滑定電圧回路８３により整流、定圧され、該交流信号を電気に変換させ、さらに、二次電池８４により電気を蓄えて各発光素子２に供給する。
【００２０】
発射回路９１と電源ユニット９２とは、有線接続か無線接続の何れかであれば良い。発射回路９１は、電源ユニット９２に接続する振動分周回路９１１と、振動分周回路９１１に接続する駆動増幅回路９１２と、駆動増幅回路９１２に接続する一次発射共振回路９１３と、一次発射共振回路９１３に接続する発射コイル９１４とを含み、振動分周回路９１１により電源ユニット９２からの電気を交流信号に変換し、該交流信号が駆動増幅回路９１２により増幅された後に、増幅された交流信号が一次発射共振回路９１３により同調され、さらに、発射コイル９１４から受信回路８に発送する。
【００２１】
また、発射回路９１は、さらに、発射コイル９１４に接続するフィードバック検知回路９１５と、フィードバック検知回路９１５及び振動分周回路９１１に接続する制御調節回路９１６とを含み、フィードバック検知回路９１５により発射コイル９１４からの交流信号を制御調節回路９１６にフィードバックして、振動分周回路９１１の振動頻度を制御調節回路９１６により調節し、最適な同調品質を取得する。
【００２２】
図４、図４Ａは、本考案の第１実施例を示す。図４、図４Ａを参照すると、編組物５が製品１と一体に結合される（例えば、製品１上又は製品１内にミシン縫い又は編成され図に前者を示され）、図示するように、製品１の両肩及び背広に結合されている。
また、導電撚り線３が編組物５内に編成され、発光素子２が編組物５内に設けられるとともに、発光素子２の導電ピン２２が導電撚り線３に電気的に接して発光可能となっている。
発光素子２の発光部２１からの光が編組物５の外に出射され、前記光を出射する方法として、図に示すように、編組物５に対応する場所に発光部２１を露出させる孔が設けられれば良く、また編組物５に対応する場所の編み密度を光を射出し易くなるように緩く設けても良い（図示せず）。
【００２３】
よって、導電撚り線３及び導電撚り線３が設けられた無線充電可能な耐張式発熱構造は、耐張、引留、水洗い及び曲折可能な機能を有するとともに、発光素子２を発光させるよう導電可能となっている。
【００２４】
図４Ｂは、本考案の第２実施例を示す。図４Ｂを参照し、各発光素子２の個々の導電ピン２２の下縁には位置決め溝２２１を有し、各導電撚り線３が各導電ピン２２の位置決め溝２２１内に位置決めされるように、各位置決め溝２２１と各導電撚り線３とが対応されている。
また、図４Ａ、図４Ｂに示すように、導電ピン２２の下縁を導電撚り線３に接触させ、且つ、導電撚り線３の素線３２が導電ピン２２に電気的に接触されるように、発光素子２が２本の導電撚り線３に電気的に接続されている。
【００２５】
図５、図５Ａは、本考案の第３、第４実施例を示す。図５、図５Ａを参照し、導電ピン２２の側縁が導電撚り線側に接するように、発光素子２が２本の導電撚り線３の間に電気的に接続されている。導電ピン２２の側縁には位置決め溝２２１（図５Ａ）を有し、導電撚り線３が導電ピン２２の位置決め溝２２１内に位置決めされるように位置決め溝２２１が導電撚り線３にも対応され、且つ、導電撚り線３の素線３２も導電ピン２２に電気的に接することが、好ましい。
【００２６】
図６は、本考案の第５実施例を示す。図６を参照すると、発光素子２の導電ピン２２は位置決め部２２２を有し、図に示すように、位置決め部２２２は挿通孔であり、導電撚り線３が導電ピン２２の位置決め部２２２内に位置決めされるように、導電撚り線３が該挿通孔内に挿通して位置決めされ、且つ、導電撚り線３の素線３２も導電ピン２２に電気的に接している。
【００２７】
図７は、本考案の第６実施例を示す。図７を参照すると、各導電撚り線３に絶縁層３３が被覆され、発光素子２の導電ピン２２が突っ込み端２２３を有し、導電ピン２２の突っ込み端２２３が導電撚り線３の絶縁層３３を突っ込んで絶縁層３３内の素線３２に固定して電気的に接触している。前記絶縁層３の形成方法として、複数有し、絶縁液に浸漬して得る方法はそのうち一つである。
【００２８】
上記の第１〜第６実施例は、いずれも以下の図示されない方法で絶縁することができる。
一、まず、発光素子２が電気的に接続された導電撚り線３を絶縁液に浸漬して絶縁層を形成し、次に、絶縁層が形成され且つ発光素子２が電気的に接続された導電撚り線３を編組物５内に編成する（単に編み）が、これに限られない。
二、先に、導電撚り線３に絶縁層３３を形成し、さらに、編組物５内に組み込まれるような機能を果たすように導電撚り線３を編組物５内に編成して（編組物５の編み糸と一緒に編成され）、続いて、絶縁層３３に素線３２を露出させるように複数の開口が開設され、発光素子２が該開口を介して電気的に接触され、最後に封止させる。
【００２９】
前記の第１実施例では、各無線充電可能な耐張式発熱構造の全ての導電撚り線３（ここで、２本の導電撚り線３が図示され）は、絶縁されてから互いにより合わせられ（図示せず）、勿論、第２〜第６実施例が同様にしてもよい（図示せず）。
【００３０】
前記の第１〜第６実施例では、各無線充電可能な耐張式発光構造は、編組物５を略して、２本の導電撚り線３をセータの編み糸と一緒に編成して（図示せず）セータ内に組み込まれるような機能を果たすことも出来る。
【００３１】
図１Ａ〜図２Ｂに示すように、これらの無線充電可能な耐張式発熱構造が製品１の正面及び背広にそれぞれ設けてもよい。各無線充電可能な耐張式発熱構造は、少なくとも１つのキャリア４と、少なくとも１つの電熱素子４０と、少なくとも２本の導電撚り線３と、受信回路８とを含み、ここで、キャリア４と、電熱素子４０と、２本の導電撚り線３と、受信回路８とを含む無線充電可能な耐張式発熱構造が図示されている。
【００３２】
キャリア４が製品１と一体に編組（単に編み）され、導電撚り線３も、前記と同じように、互いにより合わせられた少なくとも１本の耐張線３１と少なくとも１本の素線３２とを有し、ここで、複数の耐張線３１と複数の素線３２とを有する導電撚り線３が図示され、各素線３２が耐張材質の素線であることが好ましい。よって、各素線３２も、耐張、引留、及び曲折可能などの効果を備える。また、電熱素子４０がキャリア４に設けられ、２本の導電撚り線３の素線３２が電熱素子４０に電気的に接続されている。
【００３３】
電熱素子４０は、導電撚り線３により伝送された電気で発熱されている。キャリア４が均温板(図示せず）をさらに有し、熱を均温板に亘って均一に分布させるように電熱素子４０が均温板に接触されることが好ましい。よって、本考案の無線充電可能な耐張式発熱構造が設けられた製品１は、均温的な暖め維持効果を備える。
【００３４】
図４に示すように、編組物５に編成された２本の導電撚り線３が受信回路８に電気的に接続され（実際に、受信回路８が２本の導電撚り線３の素線３２に電気的に接続されているが、説明上に便宜を図るため、素線３２を略して繰り返して説明しない）、よって、受信回路８の二次電池８４の電気を発光素子２の発光に供給できる。
【００３５】
また、編組物５に編成された２本の導電撚り線３に、制御回路６とスイッチ６１とを２本の導電撚り線３に電気的に直列接続させるように、制御回路６及びスイッチ６１が電気的に接続されていることが好ましい。よって、制御回路６は、発光素子２の発光方式（例えば、正常発光、点滅或いは異なる輝度など）を制御できる。制御回路６及びスイッチ６１が編組物５内に編成しても良い（図示せず）、図に示すように、編組物５の外に延出しても良い。いずれかの方法も、水洗いのときの絶縁或いは複数の導電撚り線３が互いにより合わせられたときの絶縁のために、絶縁層がさらに被覆されることができる。また、発光素子２の発光方式を制御し易くするため、少なくとも１本の制御用の導電撚り線（図示されないが、その構造が導電撚り線３と同じ）がさらに設けられ、制御用の導電撚り線がその素線により制御回路６に電気的に接続され、制御用の導電撚り線により制御回路６の制御信号を伝送する。２本の導電撚り線３と制御用の導電撚り線とは、絶縁層がそれぞれ別々に被覆されてからより合わせられても良い（図示せず）。よって、耐張、引留などの効果をより備える。
【００３６】
以上のように、各無線充電可能な耐張式発光構造は、受信回路８の二次電池８４により発光素子２に電気を供給して発光させ、また、スイッチ６１により発光素子２の点灯や滅灯を制御し、さらに、制御回路６により発光素子２の発光方式を制御できる。
【００３７】
図８に示すように、上記と変わって前記受信回路８に外接方式で電気的に接続されている（前記外接として制御回路６をさらに含むことが好ましい）。
図に示すように、本考案に係る第１〜第６実施例の各無線充電可能な耐張式発光構造は、さらに、外部接続部材７と、コネクタ７１と、スイッチ６１とを含み、コネクタ７１とスイッチ６１とが２本の導電撚り線３に電気的に直列接続され、外部接続部材７は、受信回路８と発光素子２の発光方式を制御する制御回路６とを有し、外部接続部材７は、制御回路６に電気的に接続され且つコネクタ７１に対応する対応コネクタ７２をさらに有し、外部接続部材７は、対応コネクタ７２によりコネクタ７１に突き合せて電気的に導通されている。
スイッチ６１とコネクタ７１とが編組物５内に編成しても良いし（図示せず）、図に示すように、編組物５の外に延出しても良い。
いずれの方法も、水洗いのときの絶縁或いは複数の導電撚り線３が互いにより合わせられたときの絶縁のために、絶縁層がさらに被覆されている。
また、発光素子２の発光方式を制御し易くするため、少なくとも１本の制御用の導電撚り線（図示されないが、その構造が導電撚り線３と同じ）がさらに設けられ、制御用の導電撚り線がその素線により制御回路６に電気的に接続され、制御用の導電撚り線により制御回路６の制御信号を伝送する。
２本の導電撚り線３と制御用の導電撚り線とは、絶縁層がそれぞれ別々に被覆されてからより合わせられても良い（図示せず）。よって、耐張、引留などの効果をより備える。
【００３８】
よって、スイッチ６２により点灯や滅灯を制御できる外、さらに、外部接続部材７が外接されているか否かに基づいて、受信回路８の二次電池８４及び制御回路６を使用するか否かを選択できる。
【００３９】
図１Ａ〜図２Ｂに示すように、無線充電可能な耐張式発熱構造は、スイッチ６１をオンして発熱素子４０に受信回路８の二次電池８４の電気を供給するときに、発熱素子４０が発熱されるようになる。図に示すように、制御回路６及びスイッチ６１がさらに電気的に接続されることが好ましい。制御回路６とスイッチ６１と受信回路８とが導電撚り線３に電気的に直列接続されることで、発熱素子４０に電気的に導通され、スイッチ６１は、発熱素子４０の発熱（オン）又は不発熱（オフ）を制御し、制御回路６は、発熱素子４０の発熱方式（例えば、温度及びタイミングなど）を制御する。
【００４０】
勿論、無線充電可能な耐張式発熱構造の受信回路８（或いは、制御回路６をさらに含み）は、選択自在の目的を達成するために外接の方式を採用しても良い（図９に示すように）。無線充電可能な耐張式発熱構造は、コネクタ７１と、スイッチ６１と、外部接続部材７とをさらに含む。外部接続部材７は、対応コネクタ７２と、制御回路６と、受信回路８とを有する。コネクタ７１とスイッチ６１とが導電撚り線３に電気的に直列接続され、外部接続部材７の制御回路６、受信回路８及び対応コネクタ７２が互いに電気的に導通されている。このように、外部接続部材７は、対応コネクタ７２によりコネクタ７１に突き合せて電気的に導通されている。
【００４１】
よって、スイッチ６１により発熱素子４０が発熱しているか否かを制御できる外、さらに、外部接続部材７が外接されているか否かに基づいて、受信回路８の二次電池８４及び制御回路６を使用するか否かを選択できる。
【００４２】
また、前記の受信回路８が設けられた無線充電可能な耐張式発光構造では、図４、図８に示すように、編組物５の外に延出されている部分が、設計に応じて製品１のあらゆる場所に固定すれば良い。前記の受信回路８が設けられた無線充電可能な耐張式発熱構造では、キャリア４の外に延出されている部分が、製品１、例えば図１、図２に示す位置に固定されている。
【００４３】
本考案に係る耐張式発光又は発熱構造は、導電撚り線３の特殊構造設計により、発光素子２に電気を導電撚り線３により供給する無線充電可能な耐張式発光構造と、発熱素子４０に電気を導電撚り線３により供給する無線充電可能な耐張式発熱構造とが、発光及び発熱効果を有する外、耐張、引留、水洗い及び曲折可能な機能を何れも有し、衣服や、ジャケット、シャツ、ベスト、肌着、ズボン、スカート、帽子、手袋、水着、水帽、潜水服、靴下、耳カバー、鞄及びリュックサック等の製品１に好適に適用されることを特徴とする。
さらに、受信回路８は、二次電池８４を有し、充電装置９の発射回路９１からの交流信号を受信し、該交流信号を電気に変換して、二次電池８４により電気を蓄えて発光素子２及び発熱素子４０にそれぞれ供給できる。
スイッチ６１は、発光素子２の発光及び発熱素子４０の発熱をそれぞれ制御できる。
制御回路６は、発光素子２の発光方式及び発熱素子４０の発熱方式をそれぞれ制御できる。
外部接続部材７は、受信回路８及び制御回路６を使用するか否かを自由に選択できる。
また、制御用の導電撚り線が設けられることにより、制御回路６の制御信号を伝送できる。
絶縁層が被覆されていることにより、水洗いのとき或いは複数の導電撚り線が互いにより合わせられたときに絶縁可能となる。
また、受信回路８の二次電池８４は、最も新しく研究開発されたシート状の可撓性電池であり、人が着用する製品により適用されることになる。
【００４４】
以上のように単に本考案の好ましい実施例に過ぎず、本考案の実用新案登録請求の範囲を限定するものではなく、いずれの当該分野における通常の知識を有する者が、本考案の分野の中で、適当に変更や修飾などを実施できるが、これらの実施が本考案の範囲に含まれるべきことは言うまでもないことである。
【符号の説明】
【００４５】
１・・・・・製品
２・・・・・発光素子
３・・・・・導電撚り線
４・・・・・キャリア
５・・・・・編組物
６・・・・・制御回路
７・・・・・外部接続部材
８・・・・・受信回路
９・・・・・充電装置
２１・・・・発光部
２２・・・・導電ピン
３１・・・・耐張線
３２・・・・素線
３３・・・・絶縁層
４０・・・・電熱素子
６１・・・・スイッチ
７１・・・・コネクタ
７２・・・・コネクタ
８１・・・・受信誘導コイル
８２・・・・二次受信共振回路
８３・・・・AＣ/DＣ整流平滑定電圧回路
８４・・・・二次電池
９１・・・・発射回路
９２・・・・電源ユニット
２２１・・・位置決め溝
２２２・・・位置決め部
２２３・・・突っ込み端
９１１・・・振動分周回路
９１２・・・駆動増幅回路
９１３・・・一次発射共振回路
９１４・・・発射コイル
９１５・・・フィードバック検知回路
９１６・・・制御調節回路
【図１Ａ】
0003168913.tif 000003
【図１Ｂ】
0003168913.tif 000004
【図２Ａ】
0003168913.tif 000005
【図２Ｂ】
0003168913.tif 000006
【図３】
0003168913.tif 000007
【図３Ａ】
0003168913.tif 000008
【図４】
0003168913.tif 000009
【図４Ａ】
0003168913.tif 000010
【図４Ｂ】
0003168913.tif 000011
【図５】
0003168913.tif 000012
【図５Ａ】
0003168913.tif 000013
【図６】
0003168913.tif 000014
【図７】
0003168913.tif 000015
【図８】
0003168913.tif 000016
【図９】
0003168913.tif 000017
【手続補正書】
【提出日】平成23年4月26日(2011.4.26)
【手続補正１】
【補正対象書類名】実用新案登録請求の範囲
【補正対象項目名】請求項１
【補正方法】変更
【補正の内容】
【請求項１】
供給された電気を交流信号に変換する発射回路と、前記発射回路に接続され前記発射回路に電気を供給する電源ユニットとを備える充電装置が位置決めされた被装着物に適用される無線充電可能な耐張式発光構造であって、
前記被装着物と一体に結合された編組物と、
互いにより合わせられた少なくとも１本の耐張線と少なくとも１本の素線とを有し、前記編組物内に編成された少なくとも２本の導電撚り線と、
前記編組物内に設けられ、発光部と少なくとも２本の導電ピンとを有し、前記発光部からの光が前記編組物の外に出射され、前記２本の導電ピンが前記２本の導電撚り線の素線にそれぞれ固定して電気的に接する少なくとも１つの発光素子と、
前記２本の導電撚り線の素線に電気的に接続され、二次電池を有する受信回路であって、前記発射回路が前記受信回路に交流信号を無線で伝送し、前記交流信号が前記受信回路により電気に変換され、前記二次電池により前記電気を蓄えて前記発光素子に供給する受信回路と、を含む無線充電可能な耐張式発光構造。
【手続補正２】
【補正対象書類名】実用新案登録請求の範囲
【補正対象項目名】請求項１１
【補正方法】変更
【補正の内容】
【請求項１１】
供給された電気を交流信号に変換する発射回路と、前記発射回路に接続され、前記発射回路に電気を供給する電源ユニットとを備える充電装置が位置決めされた被装着物に適用される無線充電可能な耐張式発熱構造であって、
前記被装着物と一体に編成されたキャリアと、
前記キャリアに設けられた少なくとも１つの電熱素子と、
互いにより合わせられた少なくとも１本の耐張線と少なくとも１本の素線とを有し、素線の一端が前記電熱素子に電気的に接続された少なくとも２本の導電撚り線と、
前記各導電撚り線の素線の他端に電気的に接続され、二次電池を有する受信回路であって、前記発射回路が前記受信回路に交流信号を無線で伝送し、前記交流信号が前記受信回路により電気に変換され、前記二次電池により前記電気を蓄えて前記電熱素子に供給する受信回路と、を含む無線充電可能な耐張式発熱構造。
【手続補正３】
【補正対象書類名】明細書
【補正対象項目名】０００１
【補正方法】変更
【補正の内容】
【０００１】
本考案は、耐張式発光又は発熱構造に関し、特に、無線充電可能で人が着用する製品(被装着物)に適用され、耐張、引留、水洗い及び曲折可能な機能を有するとともに、発光又は発熱可能となる耐張式発光又は発熱構造に関する。
【手続補正４】
【補正対象書類名】明細書
【補正対象項目名】０００８
【補正方法】変更
【補正の内容】
【０００８】
前記目的を達成するため、本考案による無線充電可能な耐張式発光構造は、供給された電気を交流信号に変換する発射回路と、前記発射回路に接続され前記発射回路に電気を供給する電源ユニットとを備える充電装置が位置決めされた被装着物に適用される無線充電可能な耐張式発光構造であって、前記被装着物と一体に結合された編組物と、互いにより合わせられた少なくとも１本の耐張線と少なくとも１本の素線とを有し、前記編組物内に編成された少なくとも２本の導電撚り線と、前記編組物内に設けられ、発光部と少なくとも２本の導電ピンとを有し、前記発光部からの光が前記編組物の外に出射され、前記２本の導電ピンが前記２本の導電撚り線の素線にそれぞれ固定して電気的に接する少なくとも１つの発光素子と、前記被装着物と一体に結合され、前記２本の導電撚り線の素線に電気的に接続され、二次電池を有する受信回路であって、前記発射回路が前記受信回路に交流信号を無線で伝送し、前記交流信号が前記受信回路により電気に変換され、前記二次電池により前記電気を蓄えて前記発光素子に供給する受信回路と、を含む。
【手続補正５】
【補正対象書類名】明細書
【補正対象項目名】００１０
【補正方法】変更
【補正の内容】
【００１０】
前記目的を達成するため、本考案による無線充電可能な耐張式発熱構造は、供給された電気を交流信号に変換する発射回路と、前記発射回路に接続され、前記発射回路に電気を供給する電源ユニットとを備える充電装置が位置決めされた被装着物に適用される無線充電可能な耐張式発熱構造であって、前記被装着物と一体に編成されたキャリアと、前記キャリアに設けられた少なくとも１つの電熱素子と、互いにより合わせられた少なくとも１本の耐張線と少なくとも１本の素線とを有し、前記素線の一端が前記電熱素子に電気的に接続された少なくとも２本の導電撚り線と、前記各導電撚り線の素線の他端に電気的に接続され、二次電池を有する受信回路であって、前記発射回路が前記受信回路に交流信号を無線で伝送し、前記交流信号が前記受信回路により電気に変換され、前記二次電池により前記電気を蓄えて前記電熱素子に供給する受信回路と、を含む。